(57)【要約】      （修正有）【課題】ドライバー端末機から送信された音源情報を管理し、運転者からの音声による指示に対応する音源情報を抽出し、再生リストを作成してドライバー端末機へ提供する。【解決手段】ドライバー端末機は車両に備えられ、音源格納部、音声入力部、無線通信部、表示部、及び制御部を有し、管理サーバーと通信する車両用マルチメディア装置である。管理サーバーは、音源情報格納部、無線通信部、音声認識部、及び制御部を有し、ドライバー端末機から送信された音源情報を管理し、運転者から音声による指示（例えば、歌手名、曲名など）が送信されてくると、音源情報を抽出して再生リストの形態でドライバー端末機へ提供し、ドライバー端末機が再生リストに基づき当該音源データを再生する。【選択図】図１
2013088813.tif 000002
【特許請求の範囲】
【請求項１】
管理サーバーと、少なくとも１つ以上のドライバー端末機と、を含む音源情報の管理サービスシステムであって、
前記ドライバー端末機は、
音源情報を有する音源データを格納する音源格納手段と、
運転者の音声の入力を受ける音声入力手段と、
前記音声入力手段を介し入力された運転者の音声を前記管理サーバーへ送信し、前記管理サーバーから前記音声に対応する再生リストを送信する無線通信手段と、
前記無線通信手段に送信された前記再生リストを画面に表示する表示手段と、
前記運転者により選曲モードが活性化されるのに伴い、前記運転者の音声の入力を受けるよう前記音声入力手段を制御し、前記音声入力手段を介して入力された音声を前記管理サーバーへ送信するよう前記無線通信手段を制御し、前記無線通信手段を介し送信された前記再生リストを画面に表示するよう前記表示手段を制御する制御手段と、
を含むことを特徴とする音源情報管理サービスシステム。
【請求項２】
前記制御手段は、電源が印加されると、前記音源格納手段に格納されている各音源データに対する音源情報を前記無線通信手段を介し前記管理サーバーへ送信することを特徴とする請求項１に記載の音源情報管理サービスシステム。
【請求項３】
前記制御手段は、
前記音源データがコンパクトディスク（Ｃｏｍｐａｃｔ  Ｄｉｓｋ）に格納されている場合、前記コンパクトディスクが前記ドライバー端末機に挿入されると、前記音源データに対する音源情報を前記管理サーバーへ送信することを特徴とする請求項１に記載の音源情報管理サービスシステム。
【請求項４】
前記制御手段は、
前記音源データが携帯用記憶媒体に格納されている場合、前記携帯用記憶媒体が前記ドライバー端末機に接続されると、前記音源データに対する音源情報を前記管理サーバーへ送信することを特徴とする請求項１に記載の音源情報管理サービスシステム。
【請求項５】
前記音源情報は、曲名、歌手名、レコード名、及びレコード発売開始年度のうち少なくとも１つ以上を含むことを特徴とする請求項１に記載の音源情報管理サービスシステム。
【請求項６】
管理サーバーと、少なくとも１つ以上のドライバー端末機と、を含む音源情報の管理サービスシステムであって、
前記管理サーバーは、
各音源データに対する音源情報を格納する音源情報格納手段と、
前記ドライバー端末機から選曲を指示する音声が送信され、送信された前記音声に対応する再生リストを前記ドライバー端末機へ送信する無線通信手段と、
前記無線通信手段によって送信された前記音声を認識する音声認識手段と、
前記ドライバー端末機から音声が送信されてくるのに従って前記音声を認識するよう前記音声認識手段を制御し、前記音声認識手段が認識した結果に基づいて当該音源情報を前記音源情報格納手段から抽出して再生リストを作成し、作成した前記再生リストを前記ドライバー端末機へ送信するよう前記無線通信手段を制御する制御手段と
を含むことを特徴とする音源情報管理サービスシステム。
【請求項７】
管理サーバーと、少なくとも１つ以上のドライバー端末機と、を含む音源情報の管理サービスシステムであって、
前記管理サーバーは、
前記ドライバー端末機から音源データ及び選曲を指示する音声が送信され、送信された前記音声に対応する再生リストを前記ドライバー端末機へ送信する無線通信手段と、
外部の音源サーバーに接続して音源データベースを共有する連動手段と、
前記無線通信手段から送信された音声を認識する音声認識手段と、
前記無線通信手段から送信された音源データに対する音源情報を格納する音源情報格納手段と、
前記音源データベースから前記音源データに対する音源情報を獲得して前記音源情報格納手段に格納し、前記ドライバー端末機から送信された音声を認識するよう前記音声認識手段を制御し、前記音声認識手段が認識した結果に基づき当該音源情報を前記音源情報格納手段から抽出して前記再生リストを作成し、作成した前記再生リストを前記ドライバー端末機へ送信するよう前記無線通信手段を制御する制御手段と、
を含むことを特徴とする音源情報管理サービスシステム。
【請求項８】
管理サーバーと、少なくとも１つ以上のドライバー端末機と、を含む音源情報の管理サービス方法であって、
前記ドライバー端末機において、
音源格納手段が、音源情報を有する音源データを格納する段階と、
運転者により選曲モードが活性化されるのに伴い、音声入力手段が運転者の音声の入力を受ける段階と、
無線通信手段が入力された前記音声を前記管理サーバーへ送信する段階と、
表示手段が前記管理サーバーから送信された再生リストを画面に表示する段階と
を含むことを特徴とする音源情報管理サービス方法。
【請求項９】
前記ドライバー端末機は、電源が印加されると、格納している音源データに対する音源情報を、前記無線通信手段を介して前記管理サーバーへ送信する段階を更に含むことを特徴とする請求項８に記載の音源情報管理サービス方法。
【請求項１０】
前記音源データがコンパクトディスク（ＣｏｍｐａｃｔＤｉｓｋ）に格納されている場合、前記コンパクトディスクが前記ドライバー端末機に挿入されると、前記無線通信手段が前記音源データに対する音源情報を前記管理サーバーへ送信する段階を更に含むことを特徴とする請求項８に記載の音源情報管理サービス方法。
【請求項１１】
前記音源データが携帯用記憶媒体に格納されている場合、前記携帯用記憶媒体が前記ドライバー端末機に接続されると、前記無線通信手段が前記音源データに対する音源情報を前記管理サーバーへ送信する段階を更に含むことを特徴とする請求項８に記載の音源情報管理サービス方法。
【請求項１２】
前記音源情報は、曲名、歌手名、レコード名、及びレコード発売開始年度のうち少なくとも１つ以上を含むことを特徴とする請求項８に記載の音源情報管理サービス方法。
【請求項１３】
管理サーバーと、少なくとも１つ以上のドライバー端末機と、を含む音源情報の管理サービスの方法であって、
前記管理サーバーにおいて、
音源情報格納手段が各音源データに対する音源情報を格納する段階と、
無線通信手段が前記ドライバー端末機から音声の送信を受ける段階と、
音声認識手段が送信されてきた前記音声を認識する段階と、
制御手段が前記音声認識手段の認識結果に基づき当該音源情報を前記音源情報格納手段から抽出して再生リストを作成する段階と、
前記無線通信手段が前記再生リストを前記ドライバー端末機へ送信する段階と、
を含むことを特徴とする音源情報管理サービス方法。
【請求項１４】
前記音源情報は、曲名、歌手名、レコード名、及びレコード発売開始年度のうち少なくとも１つ以上を含むことを特徴とする請求項１３に記載の音源情報管理サービス方法。
【請求項１５】
管理サーバーと、少なくとも１つ以上のドライバー端末機と、を含む音源情報の管理サービスの方法であって、
前記管理サーバーにおいて、
無線通信手段が前記ドライバー端末機から音源データの送信を受ける段階と、
制御手段が外部の音源データベースから前記音源データに対応する音源情報を獲得して音源情報格納手段に格納する段階と、
前記無線通信手段が前記ドライバー端末機から音声の送信を受ける段階と、
音声認識手段が前記音声を認識する段階と、
前記制御手段が前記音声認識手段の認識結果に基づき当該音源情報を前記音源情報格納手段から抽出して再生リストを作成する段階と、
前記無線通信手段が前記再生リストを前記ドライバー端末機へ送信する段階と、
を含むことを特徴とする音源情報管理サービス方法。
【請求項１６】
前記音源情報は、曲名、歌手名、レコード名、及びレコード発売開始年度のうち少なくとも１つ以上を含むことを特徴とする請求項１５に記載の音源情報管理サービス方法。
【発明の詳細な説明】
【技術分野】
【０００１】
本発明は、音源情報管理サービスシステム及び音源情報管理サービス方法に係り、より詳しくは、車両に備えられるオーディオシステムにおいて、運転者の音声（Ｖｏｉｃｅ）を認識して音源（Ｓｏｕｎｄ  Ｓｏｕｒｃｅ）に対する再生リストを提供する音源情報管理サービスシステム及び音源情報管理サービス方法に関する。
【背景技術】
【０００２】
本発明において音源は音源データを意味し、音源情報は音源データに対する情報（曲名、歌手名など）を意味する。
一般に、車両に備えられるオーディオシステムは、ＡＭ／ＦＭラジオ受信機、コンパクトディスク（Ｃｏｍｐａｃｔ  Ｄｉｓｋ）プレーヤー、ＭＰ３（ＭＰＥＧ−１  Ａｕｄｉｏ  Ｌａｙｅｒ  ３）プレーヤーなどを備えている。
【０００３】
コンパクトディスクプレーヤーは、ウエーブ形態の音源データを再生する主体であって、音源データの再生時間に従い差があるものの、普通８０分容量のコンパクトディスク一枚に２０曲前後を格納することができる。このようなウエーブ形態の音源データは、音源情報を有していない。
ＭＰ３プレーヤーは、デジタル形態の音源データを再生する主体であって、音源データの容量（データ量）に従って差があるものの、通常７００Ｍ容量のコンパクトディスク一枚に１００曲内外を収容することができる。このようなＭＰ３ファイルはＩＤ３タグと音源情報を共有している。
【０００４】
ＭＰ３ファイルは、携帯用記憶媒体（ＵＳＢメモリ、メモリカードなど）に格納され、このような携帯用記憶媒体は、オーディオシステムに接続され、ＭＰ３ファイルをオーディオシステムに提供することができる。
このように多数の音源データを格納しているコンパクトディスク又は携帯用記憶媒体で、運転者が聞きたいと思う音源データに対する再生リストを自動的に作成する手段は、現在まで提示されていない。
例えば、運転者が『マイケルジャクソン』との音声を入力したとき、コンパクトディスク又は携帯用記憶媒体でマイケルジャクソンの音源データだけからなる再生リストを提供する手段が求められている。
【先行技術文献】
【特許文献】
【０００５】
【特許文献１】特開２００４−１７８８００号公報
【発明の概要】
【発明が解決しようとする課題】
【０００６】
前記のような従来の技術の問題点を解決するためになされた本発明は、ドライバー端末機から送信された音源情報を管理し、ドライバー端末機から音声による指示が送信されるのに伴い音声認識を介して音声による指示に対応した音源情報を抽出し、ドライバー端末機へ提供する音源情報管理サービスシステムを提供することを目的とする。
更に本発明は、ドライバー端末機から送信された音源データを対象に、当該音源データに対応する音源情報を獲得し、管理し、運転者から音声による指示が送信されるのに伴い音声認識を介して音声による指示に対応する音源情報を抽出して、ドライバー端末機へ提供する音源情報管理サービスシステムを提供することに他の目的がある。
【課題を解決するための手段】
【０００７】
かかる課題を解決するためになされた本発明の音源情報管理サービスシステムは、管理サーバーと、少なくとも１つ以上のドライバー端末機と、を有する音源情報の管理サービスシステムであって、ドライバー端末機が、音源情報を有する音源データを格納する音源格納手段と、運転者の音声の入力を受ける音声入力手段と、音声入力手段を介して入力された運転者の音声を管理サーバーへ送信し、管理サーバーから音声に対応する再生リストを送信する無線通信手段と、無線通信手段に送信された再生リストを画面に表示する表示手段と、運転者により選曲モードが活性化されるに伴い運転者の音声の入力を受けるよう音声入力手段を制御し、音声入力手段を介して入力された音声を管理サーバーへ送信するよう無線通信手段を制御し、無線通信手段を介し送信された再生リストを画面に表示するよう表示手段を制御する制御手段と、を含むことを特徴とする。
【０００８】
また本発明は、管理サーバーと、少なくとも１つ以上のドライバー端末機と、を含む音源情報の管理サービスシステムであって、管理サーバーが、各音源データに対する音源情報を格納する音源情報格納手段と、ドライバー端末機から選曲を指示する音声が送信され、送信された音声に対応する再生リストをドライバー端末機へ送信する無線通信手段と、無線通信手段に送信された音声を認識する音声認識手段と、ドライバー端末機から音声が送信されるにのに従って音声を認識するよう音声認識手段を制御し、音声認識手段が認識した結果に基づき当該音源情報を格納手段から抽出して再生リストを作成し、作成した再生リストをドライバー端末機へ送信するよう無線通信手段を制御する制御手段と、を含むことを特徴とする。
【０００９】
また本発明は、管理サーバーと、少なくとも１つ以上のドライバー端末機と、を含む音源情報管理サービスシステムであって、管理サーバーが、ドライバー端末機から音源データ及び選曲を指示する音声が送信され、送信された音声に対応する再生リストをドライバー端末機へ送信する無線通信手段と、外部の音源サーバーに接続して音源データベースを共有する連動手段と、無線通信手段が送信された音声を認識する音声認識手段と、無線通信手段から送信された音源データに対する音源情報を格納する音源情報格納手段と、音源データベースから音源データに対する音源情報を獲得して音源情報格納手段に格納し、ドライバー端末機から送信された音声を認識するよう音声認識手段を制御し、音声認識手段が認識した結果に基づき当該音源情報を音源情報格納手段から抽出して再生リストを作成し、作成した再生リストをドライバー端末機へ送信するよう無線通信手段を制御する制御手段と、を含むことを特徴とする。
【００１０】
一方、本発明の音源情報管理サービス方法は、管理サーバーと、少なくとも１つ以上のドライバー端末機と、を有する音源情報の管理サービス方法であって、ドライバー端末機において、音源格納手段が音源情報を有する音源データを格納する段階と、運転者により選曲モードが活性化されるに従い音声入力手段が運転者の音声の入力を受ける段階と、無線通信手段が入力された運転者の音声を管理サーバーへ送信する段階と、表示手段が管理サーバーから送信された再生リストを画面に表示する段階と、を含むことを特徴とする。
【００１１】
更に本発明は、管理サーバーと、少なくとも１つ以上のドライバー端末機と、を有する音源情報の管理サービス方法であって、管理サーバーにおいて、音源情報格納手段が各音源データに対する音源情報を格納する段階と、無線通信手段がドライバー端末機から音声の送信を受ける段階と、音声認識手段が送信された音声を認識する段階と、制御手段が音声認識手段の認識結果に基づき当該音源情報を音源情報格納手段から抽出して再生リストを作成する段階と、無線通信手段が再生リストをドライバー端末機へ送信する段階と、を含むことを特徴とする。
【００１２】
更に本発明は、管理サーバーと、少なくとも１つ以上のドライバー端末機と、を有する音源情報の管理サービス方法であって、管理サーバーにおいて、無線通信手段がドライバー端末機から音源データの送信を受ける段階と、制御手段が外部の音源データベースから音源データに対応する音源情報を獲得して音源情報格納手段に格納する段階と、無線通信手段がドライバー端末機から音声の送信を受ける段階と、音声認識手段が音声を認識する段階と、制御手段が音声認識手段の認識結果に基づき当該音源情報を音源情報格納手段から抽出して再生リストを作成する段階と、無線通信手段が再生リストをドライバー端末機へ送信する段階と、を含むことを特徴とする。
【発明の効果】
【００１３】
前記のような本発明は、ドライバー端末機から送信された音源情報を管理し、ドライバー端末機から音声による指示が送信されるのに従い、音声認識を介して音声による指示に対応する音源情報を抽出し、ドライバー端末機へ提供することにより、運転者が所望の曲目だけを聞くことができるようにする効果がある。
【００１４】
更に、本発明は、ドライバー端末機から送信されたウエーブ形態の音源データを対象に、当該音源データに対応する音源情報を獲得して管理し、ドライバー端末機から音声が送信されるのに従い、音声認識を介し音声に対応する音源情報を抽出してドライバー端末機へ提供することにより、ウエーブ形態の音源データを対象にしても自動的に再生リストを提供することができるという効果がある。
【図面の簡単な説明】
【００１５】
【図１】本発明に係る音源情報管理サービスシステムの１実施形態の構成を示す図である。
【図２】本発明に係るドライバー端末機の１実施形態の構成を示す概略図である。
【図３】本発明に係る管理サーバーの１実施形態の構成を示す図である。
【図４】本発明に係る管理サーバーの他の実施形態の構成を示す図である。
【図５】本発明に係るドライバー端末機における音源情報管理サービス方法の１実施形態のフローチャートである。
【図６】本発明に係る管理サーバーにおける音源情報管理サービス方法の１実施形態のフローチャートである。
【図７】本発明に係る管理サーバーにおける音源情報管理サービス方法の他の実施形態のフローチャートである。
【発明を実施するための最良の形態】
【００１６】
以下に、添付図面を参照しつつ、本発明に係る好ましい実施形態を詳しく説明する。
図１は、本発明に係る音源情報管理サービスシステムの１実施形態の構成を示す概略図である。
図１に示すように、本発明に係る音源情報管理サービスシステムは、少なくとも１つ以上のドライバー端末機１０及び管理サーバー２０を含む。
【００１７】
ドライバー端末機１０は、車両に備えられ管理サーバー２０と通信する車両用マルチメディア装置であって、各種音源データの再生、ナビゲーション機能、及びマルチメディア再生機能を備える。
更に、ドライバー端末機１０は、電源が印加されると、音源格納部１１に格納されている音源データに対応する音源情報を管理サーバー２０へ送信する。このとき音源格納部１１はコンパクトディスクであってもよく、携帯用記憶媒体であってもよい。
【００１８】
ここでドライバー端末機１０は、音源格納部１１がコンパクトディスクの場合、ドライバー端末機１０にコンパクトディスクが挿入されると、コンパクトディスクに格納されている音源データに対応する音源情報を管理サーバー２０へ送信することができ、音源格納部１１が携帯用記憶媒体の場合、ドライバー端末機１０に携帯用記憶媒体が接続されると、携帯用記憶媒体に格納されている音源データに対応する音源情報を管理サーバー２０へ送信することができる。
【００１９】
管理サーバー２０は音声認識機能を備え、ドライバー端末機１０から送信された音源情報を管理し、ドライバー端末機１０からの音声による指示（例えば、歌手名、曲名など）が送信されてくると、音声認識を介し音声に対応する音源情報を抽出してドライバー端末機１０に提供する。このように送信される音源情報は再生リストの形態であって、ドライバー端末機１０が再生リストに基づき当該音源データを再生することができる。
【００２０】
例えば、ドライバー端末機１０内の音源格納部１１にＡ歌手のＡ１曲、Ａ２曲、及びＡ３曲と、Ｂ歌手のＢ１曲、Ｂ２曲、及びＢ３曲と、Ｃ歌手のＣ１曲、Ｃ２曲、及びＣ３曲と、が秩序なく格納されている場合、管理サーバー２０は、ドライバー端末機１０から送信された各曲に対する音源情報を管理する。このとき管理サーバー２０は、音源情報のみを管理し、音源データは格納しない。
【００２１】
管理サーバー２０は、ドライバー端末機１０から音声でＡ歌手名の送信を受けると、音声認識を介してＡ歌手の曲、即ちＡ１曲、Ａ２曲、及びＡ３曲からなる再生リストを作成してドライバー端末機１０へ提供する。
他の例として、音源格納部１１内の第１フォルダにＡ歌手のＡ１曲、Ａ２曲、及びＢ歌手のＢ１曲が格納されており、第２フォルダにＡ歌手のＡ３曲、Ｂ歌手のＢ２曲、Ｃ歌手のＣ１曲が格納されており、第３フォルダにＢ歌手のＢ３曲、Ｃ歌手のＣ２曲、Ｃ３曲が格納されていると仮定する。
【００２２】
この場合、管理サーバー２０は第１グループとしてＡ１曲、Ａ２曲、Ｂ１曲に対する音源情報を管理し、第２グループとしてＡ３曲、Ｂ２曲、Ｃ１曲に対する音源情報を管理し、第３グループとしてＢ３曲、Ｃ２曲、Ｃ３曲に対する音源情報を管理する。
【００２３】
以後、管理サーバー２０がドライバー端末機１０から音声でＡ歌手の名前の送信を受けると、Ａ１曲、Ａ２曲、Ａ３曲で成る再生リストをドライバー端末機１０へ提供する。このとき、再生リスト内の各曲は、音源格納部１１内の音源データとリンクされているので、ドライバー端末機１０はＡ１曲、Ａ２曲、Ａ３曲を順次に、又はアトランダムに再生することができる。
【００２４】
更に他の例として、ドライバー端末機１０にコンパクトディスクが挿入されると共に携帯用記憶媒体が接続されている場合、ドライバー端末機１０は各音源情報の格納場所を管理サーバー２０へ通信し、管理サーバー２０は格納場所別に音源情報を格納及び管理する。
【００２５】
一方、管理サーバー２０は、音楽協会や歌手協会で管理する音源サーバーと連動する連動部４２を備えることができる。この場合、管理サーバー２０がドライバー端末機１０から各音源データの一部又は全体の送信を受けると、連動部４２を介し音源サーバーに接続し、当該音源データに対応する音源情報を音源サーバーから獲得することができる。このとき管理サーバー２０は、獲得した音源情報に識別符号を付与して管理する。
ここで、音源データの一部とは、管理サーバー２０が音源サーバーと連動して当該音源サーバーと同一の音源データを検索することができる程度の音源データのメモリー分量を意味する。
【００２６】
本発明では、音源情報は、例えばＩＤ３タグであって、下記表１のような情報を含む。このような音源情報は、ＭＰ３ファイル形態の音源データに格納されている。
【００２７】
【表１】
2013088813.tif 000003
【００２８】
図２は、本発明に係るドライバー端末機の１実施形態の構成を示す図である。
図２に示す通り、本発明に係るドライバー端末機１０は、音源格納部１１、音声入力部１２、無線通信部１３、表示部１４、及び制御部１５を含む。
音源格納部１１はコンパクトディスクであってもよく、携帯用記憶媒体であってもよく、例えば［表１］に示すような音源情報を有する音源データを格納している。
【００２９】
音声入力部１２は、制御部１５の制御に従い、音源データの再生リスト作成のための運転者の音声による指示が入力を受ける。
無線通信部１３は、制御部１５の制御に従い、音声入力部１２を介し入力された運転者の指示を管理サーバー２０へ送信し、管理サーバー２０から指示に対応する再生リストの送信を受ける。
【００３０】
無線通信部１３は、管理サーバー２０との無線通信を可能にする１つ以上のモジュールを含むことができる。例えば、無線通信部１３は移動通信モジュール及び無線インターネットモジュールを含むことができる。
【００３１】
移動通信モジュールは、移動通信網上で基地局、外部の端末、及びサーバーのうちの少なくとも１つと無線信号を送受信する。無線信号は音声信号、画像通話信号、及び文字−マルチメディアメッセージ送受信に伴う多様な形態のデータを含むことができる。
【００３２】
無線インターネットモジュールは無線インターネット接続のためのモジュールである。
無線インターネット技術にはＷＬＡＮ（Ｗｉｒｅｌｅｓｓ  ＬＡＮ）（Ｗｉ−Ｆｉ）、Ｗｉｂｒｏ（Ｗｉｒｅｌｅｓｓ  ｂｒｏａｄｂａｎｄ）、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）  などが利用できる。
【００３３】
表示部１４は、制御部１５の制御に従い、無線通信部１３を介して受信した再生リストを画面に表示する。
表示部１４は、液晶ディスプレイ（ＬｉｑｕｉｄＣｒｙｓｔａｌ  Ｄｉｓｐｌａｙ、ＬＣＤ）、薄膜トランジスタ液晶ディスプレイ（Ｔｈｉｎ  Ｆｉｌｍ  Ｔｒａｎｓｉｓｔｏｒ−Ｌｉｑｕｉｄ  Ｃｒｙｓｔａｌ  Ｄｉｓｐｌａｙ、ＴＦＴ  ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）、フレキシブルディスプレイ（ｆｌｅｘｉｂｌｅ  ｄｉｓｐｌａｙ）、３次元ディスプレイ（３Ｄ  ｄｉｓｐｌａｙ）、及び見る方向によって異なった映像が表示されるデュアルディスプレイのうち少なくとも１つを含むことができる。
【００３４】
制御部１５は、運転者により選曲モードが活性化されるのに伴い、運転者の音声の入力を受けるように音声入力部１２を制御し、音声入力部１２を介して入力された音声を管理サーバー２０へ送信するよう無線通信部１３を制御し、無線通信部１３を介して送信された再生リストを画面に表示するように表示部１４を制御する。
【００３５】
更に、制御部１５は、電源が印加されると、音源格納部１１に格納されている音源データに対する音源情報を、無線通信部１３を介しドライバー端末機１０へ送信する。
更に、制御部１５は、音源格納部１１がコンパクトディスクの場合、ドライバー端末機１０に新たにコンパクトディスクが挿入されると、コンパクトディスクに格納されている音源データに対する音源情報を無線通信部１３を介し管理サーバー２０へ送信する。
【００３６】
更に、制御部１５は、音源格納部１１が携帯用記憶媒体の場合、ドライバー端末機１０に携帯用記憶媒体が新たに接続されると、携帯用記憶媒体に格納されている音源データに対する音源情報を、無線通信部１３を介し管理サーバー２０へ送信する。
【００３７】
図３は、本発明に係る管理サーバーの１実施形態の構成を示す図である。
図３に示す通り、本発明に係る管理サーバー２０は、音源情報格納部２１、無線通信部２２、音声認識部２３、及び制御部２４を含む。
【００３８】
音源情報格納部２１は、各音源データの音源情報を格納している。
無線通信部２２は、制御部２４の制御に従いドライバー端末機１０から選曲のための音声による指示の送信を受け、送信された指示に対応する再生リストをドライバー端末機１０へ送信する。
音声認識部２３は、制御部２４の制御に従い無線通信部２２を介して送信された音声を認識する。このとき、音声認識技術は公知の技術を利用する。
【００３９】
制御部２４は、無線通信部２２を介しドライバー端末機１０から音声による指示が送信されるのに伴い音声を認識するよう音声認識部２３を制御し、音声認識部２３が認識した結果に基づき当該音源情報を音源情報格納部２１から抽出して再生リストを作成し、作成した再生リストをドライバー端末機１０へ送信するよう無線通信部２２を制御する。
更に、制御部２４は、無線通信部２２を介しドライバー端末機１０から送信された音源情報を音源情報格納部２１に格納する。
【００４０】
図４は、本発明に係る管理サーバーの他の実施形態の構成を示す図である。
図４に示す通り、本発明の実施形態に係る管理サーバー４０は、無線通信部４１、連動部４２、音声認識部４３、音源情報格納部４４及び制御部４５を含む。
【００４１】
無線通信部４１はドライバー端末機１０から音源データの一部又は全体の送信を受け、併せてドライバー端末機１０から選曲のための音声による指示の送信を受け、送信された指示に対応する再生リストをドライバー端末機１０へ送信する。
連動部４２は、制御部４５の制御に従い外部の音源サーバーに接続して音源データベースを共有する。
【００４２】
音声認識部４３は、制御部４５の制御に従い無線通信部４１を介して送信された音声による指示を認識する。このとき、音声認識技術は公知の技術を利用する。
音源情報格納部４４は、無線通信部４１を介して送信された音源データに対応する音源情報を格納する。
制御部４５は、外部の音源サーバーが備えている音源データベースに基づき、無線通信部４１を介して送信された音源データに対応する音源情報を獲得して音源情報格納部４４に格納する。
【００４３】
更に、制御部４５は、無線通信部４１を介しドライバー端末機１０から音声による指示が送信されるのに伴い、音声を認識するよう音声認識部４３を制御し、音声認識部４３が認識した結果に基づき当該音源情報を音源情報格納部４４から抽出して再生リストを作成し、作成した再生リストをドライバー端末機１０へ送信するよう無線通信部４１を制御する。
【００４４】
図５は、本発明に係るドライバー端末機における音源情報管理サービス方法の１実施形態のフローチャートである。
先ず、音源格納部１１は、音源情報を有する音源データを格納する（５０１）。
次いで、運転者により選曲モードが活性化されるのに伴い、音声入力部１２が運転者の音声の入力を受ける（５０２）。
次いで、無線通信部１３が音声入力部１２を介し入力された運転者の音声を管理サーバー２０へ送信する（５０３）。
【００４５】
次いで、表示部１４が管理サーバー２０から送信された再生リストを画面に表示する（５０４）。
【００４６】
図６は、本発明に係る管理サーバーにおける音源情報管理サービス方法の１実施形態のフローチャートである。
先ず、音源情報格納部２１は、各音源データに対する音源情報を格納する（６０１）。
次いで、無線通信部２２がドライバー端末機１０から音声の送信を受ける（６０２）。
次いで、音声認識部２３が制御部２４の制御に従い送信された指示を認識する（６０３）。
【００４７】
次いで、制御部２４が音声認識部２３の認識結果に基づき、当該音源情報を音源情報格納部２１から抽出して再生リストを作成する（６０４）。
次いで、無線通信部２２が制御部２４の制御に従い再生リストをドライバー端末機１０へ送信する（６０５）。
これによって、ドライバー端末機１０が再生リストを画面に表示する。
【００４８】
図７は、本発明に係る管理サーバーにおける音源情報管理サービス方法の他の実施形態のフローチャートである。
先ず、無線通信部４１がドライバー端末機１０から音源データの送信を受ける（７０１）。
以後、制御部４５が無線通信部４１を介し外部の音源データベースから音源データに対応する音源情報を獲得して音源情報格納部４４に格納する（７０２）。
【００４９】
次いで、無線通信部４１がドライバー端末機から音声による指示の送信を受ける（７０３）。
次いで、音声認識部４３が無線通信部４１を介して送信された音声を認識する（７０４）。
次いで、制御部４５が音声認識部４３の認識結果に基づき、当該音源情報を音源情報格納部４４から抽出して再生リストを作成する（７０５）。
【００５０】
次いで、無線通信部４１が制御部４５の制御に従い再生リストをドライバー端末機へ送信する（７０６）。これによって、ドライバー端末機１０が再生リストを画面に表示する。
【符号の説明】
【００５１】
１１      音源格納部
１２      音声入力部
１３、２２、４１      無線通信部
１４      表示部
１５、２４、４５      制御部
２０、４０      管理サーバー
２１、４４      音源情報格納部
２３、４３      音声認識部
４２      連動部
【図１】
2013088813.tif 000004
【図２】
2013088813.tif 000005
【図３】
2013088813.tif 000006
【図４】
2013088813.tif 000007
【図５】
2013088813.tif 000008
【図６】
2013088813.tif 000009
【図７】
2013088813.tif 000010